(57)【要約】【課題】同一画像に対して複数の画像処理を適用する際に必要となる処理能力を削減することができる画像処理方法を提供すること目的とする。【解決手段】同一画像データに複数の画像処理を適用する際、それらの画像処理を構成する処理要素を調べ、おのおのの画像処理において同一処理要素により同一出力を得る場合には、その処理要素について一度だけ処理を実行し、それによって得た出力データを、それぞれの画像処理の当該処理要素の次段の処理要素へ入力させるように、全体の処理実行を制御する。【選択図】        図８
2006318155.tif 000002
【特許請求の範囲】
【請求項１】
同一画像データに複数の画像処理を適用する際、それらの画像処理を構成する処理要素を調べ、おのおのの画像処理において同一処理要素により同一出力を得る場合には、その処理要素について一度だけ処理を実行し、それによって得た出力データを、それぞれの画像処理の当該処理要素の次段の処理要素へ入力させるように、全体の処理実行を制御することを特徴とする画像処理方法。
【請求項２】
前記画像処理を構成する処理要素を登録した情報は、前記画像処理を実行するハードウェアに保存されていることを特徴とする請求項１記載の画像処理方法。
【請求項３】
前記画像処理を構成する処理要素を登録した情報は、前記画像処理を実行するハードウェアと通信可能な他のハードウェアに保存されていることを特徴とする請求項１記載の画像処理方法。
【発明の詳細な説明】
【技術分野】
【０００１】
本発明は、同一の画像データに複数の画像処理を適用する際の画像処理方法に関する。
【背景技術】
【０００２】
近年、複写機能やネットワークプリンタ機能等を備えた複合機では、装置に備えられている複写機能や画像形成機能などが多岐に亘り、そのために、ユーザが機器を操作するためのユーザインタフェース手段は、比較的大きい画面の画面表示装置や画面操作装置（例えば、タッチパネル機能付き液晶表示装置など）を備え、ユーザが所望する機能を適切に操作できるように工夫されている。
【０００３】
例えば、ポップアップ画面で表示されていた設定に関してユーザに混乱を生じさせずに、操作性を向上させたユーザインタフェース手段を実現できるようにしたものも提案されている（特許文献１参照）。
【特許文献１】特開２００４−０５６３７７公報
【発明の開示】
【発明が解決しようとする課題】
【０００４】
例えば、ユーザ操作の参照のために、画面表示装置に複写機能や画像形成機能に応じたプレビュー画像を表示すると、ユーザは、実際に形成される印刷物の概略を視覚的に確認できるため、ユーザの操作性が非常に良好な物となる。
【０００５】
しかしながら、このようなプレビュー画像を表示するために必要な処理能力は比較的大きく、それぞれの複写機能や画像形成機能に応じた複数のプレビュー画像を並列的に表示する場合、装置本体に必要な処理能力が大きいものとなるという事態を生じていた。
【０００６】
本発明は、かかる実情に鑑みてなされたものであり、同一画像に対して複数の画像処理を適用する際に必要となる処理能力を削減することができる画像処理方法を提供すること目的とする。
【課題を解決するための手段】
【０００７】
本発明は、同一画像データに複数の画像処理を適用する際、それらの画像処理を構成する処理要素を調べ、おのおのの画像処理において同一処理要素により同一出力を得る場合には、その処理要素について一度だけ処理を実行し、それによって得た出力データを、それぞれの画像処理の当該処理要素の次段の処理要素へ入力させるように、全体の処理実行を制御することを特徴とする画像処理方法である。
【０００８】
また、前記画像処理を構成する処理要素を登録した情報は、前記画像処理を実行するハードウェアに保存されている。
【０００９】
また、前記画像処理を構成する処理要素を登録した情報は、前記画像処理を実行するハードウェアと通信可能な他のハードウェアに保存されている。
【発明の効果】
【００１０】
したがって、本発明によれば、例えば、同一画像データについて複数のプレビュー画像を形成する際、適用される画像処理を構成する処理要素に従って、複数のプレビュー画像を形成する際の処理のスケジューリングを最適化することができ、その結果、装置本体に必要となる処理能力を小さい物とすることができるという効果を得る。
【発明を実施するための最良の形態】
【００１１】
以下、添付図面を参照しながら、本発明の実施の形態を詳細に説明する。
【００１２】
図１は、本発明の一実施例にかかるネットワークシステムを示している。
【００１３】
同図において、ローカルエリアネットワークＬＡＮには、複数のパーソナルコンピュータ装置ＰＣ１〜ＰＣｎ、サーバ装置ＳＭ、および、ネットワーク複合機ＦＸが接続されているとともに、ルータ装置ＲＴを介してインターネットへ接続されている。したがって、パーソナルコンピュータ装置ＰＣ１〜ＰＣｎ、サーバ装置ＳＭ、および、ネットワーク複合機ＦＸは、インターネットを介し、他の適宜な端末装置との間でデータをやりとりすることができる。
【００１４】
ここで、サーバ装置ＳＭは、ローカルエリアネットワークＬＡＮに接続されているパーソナルコンピュータ装置ＰＣ１〜ＰＣｎを利用するユーザ、および、ネットワーク複合機ＦＸに対して、周知の電子メールの収集および配布のサービスを提供したり、ネットワーク複合機ＦＸに対して、後述するＭＦＰ機能分解ルールの検索サービスなどを提供するためのものである。
【００１５】
また、パーソナルコンピュータ装置ＰＣ１〜ＰＣｎには、ローカルエリアネットワークＬＡＮを介して種々のデータのやりとりを行ったり、あるいは、ローカルエリアネットワークＬＡＮを介してネットワーク複合機ＦＸをアクセスする等の種々のソフトウェアなどが導入されており、特定のユーザにより使用されるものである。ここで、特定のユーザは、一人または複数人のユーザであってよい。
【００１６】
また、ネットワーク複合機ＦＸは、複写機能、ネットワークプリント機能などの種々の画像形成機能を備えるとともに、ローカルエリアネットワークＬＡＮを介して、種々の情報をやりとりする通信機能を備えている。
【００１７】
図２は、ネットワーク複合機ＦＸの構成例を示している。
【００１８】
同図において、システム制御部１は、このネットワーク複合機ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク複合機ＦＸに固有な各種の情報を記憶するためのものであり、時計回路４は、現在時刻情報を出力するものである。
【００１９】
カラースキャナ５は、所定の解像度で原稿（紙文書）画像をフルカラーに読み取るためのものであり、カラープロッタ６は、所定の解像度で画像をフルカラーまたはモノクロで記録出力するためのものであり、操作表示部７は、このネットワーク複合機ＦＸを操作するためのもので、各種の操作キー、および、各種の表示器からなる。
【００２０】
画像処理部８は、画像データに対して種々の画像処理（例えば、変倍処理、濃度変換処理、画像回転処理、画像圧縮処理、画像伸張処理、スタンプ画像合成処理など）を適用するためのものであり、磁気ディスク装置９は、読み取って得た画像データや、ローカルエリアネットワークＬＡＮを介して受信した画像データなどの種々の画像データ、および、アプリケーションファイルデータ等の種々のファイルデータを保存するためのものである。
【００２１】
ローカルエリアネットワークインターフェース回路１０は、このネットワーク複合機ＦＸをローカルエリアネットワークＬＡＮに接続するためのものであり、ローカルエリアネットワーク伝送制御部１１は、ローカルエリアネットワークＬＡＮを介して、他のデータ端末装置との間で種々のデータをやりとりするための各種所定のプロトコルスイートの通信制御処理を実行するためのものである。
【００２２】
これらの、システム制御部１、システムメモリ２、パラメータメモリ３、時計回路４、スキャナ５、プロッタ６、操作表示部７、画像処理部８、磁気ディスク装置９、および、ローカルエリアネットワーク伝送制御部１１は、内部バス１２に接続されており、これらの各要素間でのデータのやりとりは、主としてこの内部バス１２を介して行われている。
【００２３】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００２４】
図３は、操作表示部７の一例を示している。
【００２５】
同図において、スタートキー７ａは、ユーザが複写動作等の開始を指令操作するためのものであり、ストップキー７ｂは、ユーザが複写動作等の停止を指令操作するためのものであり、テンキー７ｃは、ユーザが複写部数等の数値情報を操作入力するためのものである。
【００２６】
ファンクションキー群７ｄは、種々の機能を登録した複数のキーからなる。このファンクションキー群７ｄの各キーについては、一部がシステムに予約されている機能が登録され、また、他の一部については、ユーザが任意の機能を登録することができる。
【００２７】
タッチパネル液晶７ｅは、液晶表示装置の表示画面に、タッチパネルを付設したものであり、タッチパネル液晶７ｅの表示画面をユーザがタッチ操作すると、そのときにタッチ操作された座標情報、および、タッチ操作に関するイベント等が出力される。
【００２８】
本実施例では、このネットワーク複合機ＦＸを利用するユーザは、事前に登録されており、通常、使用に先立ってユーザのログオン操作が行われる。また、それぞれの登録ユーザについては、図４（ａ）に示すようなユーザ登録情報テーブルにユーザ登録情報が形成されて登録されている。また、このユーザ登録情報は、同図（ｂ）に示すように、ユーザに付与された識別情報であるユーザＩＤ、初期画面に表示するＭＦＰ機能（後述）を記憶した初期画面情報、および、それ以外の登録情報であるその他の登録情報からなる。
【００２９】
以上の構成で、待機状態では、ネットワーク複合機ＦＸには、図５に示すような待機画面が表示されている。この状態から、複写物を作成しようとユーザがネットワーク複合機ＦＸへ近づき、原稿束をカラースキャナ５の自動原稿搬送ユニット（図示略）の原稿台に載置すると、まず、カラースキャナ５により原稿束の全ての原稿が順次読み取られ、それによって得られた原稿画像データは磁気ディスク装置９に蓄積される。なお、ユーザのログオン操作と、原稿束の設置操作は、順序が逆転していてもよい。
【００３０】
一方、ユーザのログオン操作により、ユーザＩＤが取得されると、ユーザ登録情報が参照されて、対応するユーザ登録情報から初期画面情報が取得され、例えば、図６に示すようなユーザ別の操作画面が、メイン画面ＭＭの上の重畳表示されるポップアップ画面ＰＰとして表示される。ここで、ユーザのログオン処理については、サーバ装置ＳＭに行わせるようにすることもできる。その場合、ネットワーク複合機ＦＸは、ローカルエリアネットワークＬＡＮを介し、サーバ装置ＳＭに対してユーザ認証要求し、ユーザが操作入力したログオン情報（ユーザＩＤとパスワードなど）をサーバ装置ＳＭへ送る。それにより、サーバ装置ＳＭは、自端末のユーザ認証システム（図示略）により、ログオン情報に基づいてユーザ認証動作を行い、その結果を、ローカルエリアネットワークＬＡＮを介してネットワーク複合機ＦＸへ通知する。
【００３１】
この場合、初期画面情報には、「５０％縮小スタンプ」と「２ｉｎ１集約」の２つのＭＦＰ機能が登録されており、それぞれのＭＦＰ機能を指令操作するための操作項目ＭＰ１，ＭＰ２が、ポップアップ画面ＰＰに表示されている。
【００３２】
また、おのおのの操作項目ＭＰ１，ＭＰ２は、１ページ目の原稿画像について、それぞれのＭＦＰ機能を適用した場合に作成される複写物の概略を示すプレビュー画像を、それぞれの操作項目ＭＰ１，ＭＰ２の表示領域に配置して構成したものである。また、操作項目ＭＰ１，ＭＰ２の下には、おのおののＭＦＰ機能の名称が付記される。なお、「閉じる」の操作項目は、このポップアップ画面ＰＰを閉じて、元のメイン画面ＭＭを表示させる操作を指令するためのものである。
【００３３】
このようにして、ユーザに登録された初期画面情報に基づいて、最初にユーザに提示する操作画面の操作項目を設定しているので、ユーザ毎に、使い勝手の良いユーザインタフェース機能を提供することができる。
【００３４】
さて、例えば、「５０％縮小スタンプ」というＭＦＰ機能は、「画像データを５０％変倍処理する」、「スタンプ画像を合成する」という２つの処理機能（以下、「処理要素」という）を組み合わせて実現される。換言すれば、「５０％縮小スタンプ」というＭＦＰ機能は、「画像データを５０％変倍処理する」、「スタンプ画像を合成する」という２つの処理要素に分解することができる。
【００３５】
また、「２ｉｎ１集約」というＭＦＰ機能は、「画像データを５０％変倍処理する」、「９０度回転処理する」という２つの処理要素を組み合わせて実現されている。換言すれば、「２ｉｎ１集約」というＭＦＰ機能は、「画像データを５０％変倍処理する」、「９０度回転処理する」という２つの処理要素に分解することができる。
【００３６】
ここで、「集約」とは、１ページの複写用紙に２以上の原稿画像を適宜な変倍率で縮小して割り付けるということであり、「２ｉｎ１集約」というＭＦＰ機能は、「１ページの複写用紙に、２ページ分の５０％変倍の原稿画像を９０度回転した状態で縦に配置する」というものである。また、「４ｉｎ１集約」であれば、「１ページの複写用紙に４ページ分の２５％変倍の原稿画像を配置する」という機能になる。
【００３７】
一方、プレビュー画像データを作成する処理は、比較的重く、上述した場合のように、操作項目ＭＰ１，ＭＰ２の２つのプレビュー画像データを作成するとした場合、ユーザ別操作画面を表示するまでに、ユーザが待ち時間が長いと感じるほど長い時間を要すことになると、応答性という点で好ましくない。
【００３８】
そこで、操作項目ＭＰ１，ＭＰ２に対応したＭＦＰ機能のそれぞれについて、構成する処理要素を調べると、重複するものがあることに気がつく。この場合、「５０％縮小スタンプ」と「２ｉｎ１集約」では、「画像データを５０％変倍処理する」という処理要素が重複している。
【００３９】
したがって、１ページ目の画像データについて、操作項目ＭＰ１のプレビュー画像データを作成する処理と、操作項目ＭＰ２のプレビュー画像データを作成する処理を実行する場合、「（Ａ）１ページ目の画像データを５０％変倍処理する」、「（Ｂ）（Ａ）で作成された変倍後の画像データにスタンプ画像を合成する」（「５０％縮小スタンプ」処理が完了）、「（Ｃ）（Ａ）で作成された変倍後の画像データを９０度回転処理する」（「２ｉｎ１集約」処理が完了）というように処理の実行スケジュールを設定することができる。
【００４０】
そこで、この実行スケジュールに従って処理を実行すると、重複している処理要素の処理回数が１回削減されるため、操作項目ＭＰ１，ＭＰ２のプレビュー画像データを作成する際に要する時間を大幅に短縮することができ、その結果、ユーザ別操作画面の表示が完了するまでのユーザの待ち時間を大幅に短縮することができる。
【００４１】
本実施例では、図７（ａ）に示すように、おのおののＭＦＰ機能について、それぞれのＭＦＰ機能を構成する機能要素を登録したＭＦＰ機能分解ルールをまとめたＭＦＰ機能分解ルールテーブルを備える。
【００４２】
また、それぞれのＭＦＰ機能分解ルールは、同図（ｂ）に示すように、おのおののＭＦＰ機能の名称をあらわすＭＦＰ機能名、当該ＭＦＰ機能を構成する機能要素の個数をあらわす機能要素数、および、１つ以上の機能要素名からなる。
【００４３】
例えば、「５０％縮小スタンプ」のＭＦＰ機能分解ルールは、同図（ｃ）に示すようなものとなり、「２ｉｎ１集約」のＭＦＰ機能分解ルールは、同図（ｄ）に示すようなものとなる。
【００４４】
ここで、機能要素については、より小さい機能要素に分解することができる場合がある。例えば、「４ｉｎ１集約」は、「２５％変倍処理」を伴うが、この「２５％変倍処理」は、「５０％変倍処理」を２回繰り返すことでも実現することができ、その場合、「２５％変倍処理」は、「５０％変倍処理」、「５０％変倍処理」の２つの機能要素に分解することができる（図７（ｅ）参照）。
【００４５】
このようなことから、ＭＦＰ機能分解ルールには、機能要素の分解ルールを含めるようにすることができる。
【００４６】
したがって、最小の機能要素、すなわち、それ以上分解することができない機能要素（以下、「プリミティブ機能要素」という）を機能要素として持つ機能要素は、ＭＦＰ機能分解ルールを有する機能に含めることができる。
【００４７】
また、上述した実行スケジュールの設定については、基本的には、プリミティブ機能要素を、実行スケジュールの実行単位として取り扱う。
【００４８】
ところで、ネットワーク複合機ＦＸが全てのＭＦＰ機能分解ルールについて情報を保持するようにすると、記憶媒体、例えば、パラメータメモリ３や磁気ディスク装置９に必要な記憶容量が大きくなり、コストに影響を及ぼす。
【００４９】
そこで、サーバ装置ＳＭに、ＭＦＰ機能分解ルールのデータベース機能を備え、ネットワーク複合機ＦＸがサーバ装置ＳＭからＭＦＰ機能分解ルールを取得できるようにすると、ネットワーク複合機ＦＸの装置コストの低減化に役立つ。
【００５０】
そのさい、ネットワーク複合機ＦＸがサーバ装置ＳＭへアクセスできるように、図７（ｆ）に示すように、分解ルール問い合わせ先情報として、問い合わせ先アドレス情報（この場合は、サーバ装置ＳＭのネットワークアドレス）を登録しておく。
【００５１】
ここで、ネットワーク複合機ＦＸがサーバ装置ＳＭからＭＦＰ機能分解ルールを取得するさいの通信プロトコルは、適宜なもの、例えば、独自のピア・ツー・ピア通信プロトコル等を適用することができる。あるいは、サーバ装置ＳＭがＷｅｂサーバ機能を備える場合には、ＨＴＴＰを利用することもできる。その場合、問い合わせページのＵＲＬを問い合わせ先アドレス情報として登録することができる。
【００５２】
図８は、ネットワーク複合機ＦＸの処理の一例を示している。
【００５３】
ユーザがログオンし（処理１０１）、原稿束をカラースキャナ５の自動原稿搬送ユニットの原稿台に載置する（処理１０２）と、まず、カラースキャナ５により原稿束の全ての原稿を順次読み取り、それによって得られた原稿画像データを磁気ディスク装置９に蓄積する（処理１０３）。
【００５４】
次いで、ユーザのログオン操作により取得したユーザＩＤを参照して、ユーザ登録情報を取得し（処理１０４）、ユーザ登録情報から初期画面情報を取得する（処理１０５）。
【００５５】
次に、初期画面情報に登録されているおのおののＭＦＰ機能について、機能要素に分解し（処理１０６；機能要素分解処理）、それぞれの機能要素について、重複があるかどうかが解析される（処理１０７；機能要素解析処理）。そして、処理１０７の処理結果に基づいて、機能要素を実行する際の実行スケジュールが作成される（処理１０８；機能要素最適化スケジューリング処理）。
【００５６】
そして、処理１０８で作成された実行スケジュールに従って、プレビュー画像データを作成し（処理１０９）、ユーザ別操作画面を表示し（処理１１０）、次の処理へ進む。
【００５７】
図９は、機能要素分解処理（処理１０７）の一例を示している。
【００５８】
まず、ＭＦＰ機能が自端末のＭＦＰ機能分解ルールテーブルに登録されているかどうかを判別し（処理２０１）、登録されている場合は（判断２０２の結果がＹＥＳ）、ＭＦＰ機能分解ルールを参照して（処理２０４）、ＭＦＰ機能を機能要素へ分解する（処理２０４）。ここで、処理２０４でプリミティブ機能要素まで分解できたかどうかを調べ（判断２０５）、判断２０５の結果がＮＯになるときには、処理２０１へ戻り、それ以降の処理を繰り返し行う。
【００５９】
また、判断２０５の結果がＹＥＳになるときには、この処理を終了する。
【００６０】
一方、自端末のＭＦＰ機能分解ルールテーブルに登録されていない場合で、判断２０２の結果がＮＯになるときには、当該ＭＦＰ機能の分解ルールを検索して取得する（処理２０６）。処理２０６で分解ルールを取得できた場合には（判断２０７の結果がＹＥＳ）、処理２０３へ進み、それ以降の処理を実行する。また、判断２０７の結果がＮＯになるときには、この処理を終了する。
【００６１】
図１０は、処理２０６の一例を示している。
【００６２】
まず、分解ルール問い合わせ情報に有為な情報が含まれているかどうかを調べる（処理３０１）。登録されている場合には（判断３０２の結果がＹＥＳ）、問い合わせ先に対して分解ルールを問い合わせる（処理３０３）。
【００６３】
問い合わせ先より分解ルールがある旨が通知された場合は（判断３０４の結果がＹＥＳ）、その分解ルールを取得して（処理３０５）、この処理を終了する。
【００６４】
また、判断３０４の結果がＮＯになるとき、および、判断３０２の結果がＮＯになるときには、取得失敗（処理３０６）として、この処理を終了する。
【００６５】
図１１は、処理２０６の他の例を示している。
【００６６】
まず、分解ルール問い合わせ情報に有為な情報が含まれているかどうかを調べる（処理４０１）。登録されている場合には（判断４０２の結果がＹＥＳ）、問い合わせ先に対して分解ルールを問い合わせる（処理４０３）。
【００６７】
問い合わせ先より分解ルールがある旨が通知された場合は（判断４０４の結果がＹＥＳ）、その分解ルールを取得して（処理４０５）、この処理を終了する。
【００６８】
また、判断４０２の結果がＮＯになるときには、処理２０５を実行する際の引数に分解ルールが含まれているかどうかを調べる（判断４０６）。判断４０６の結果がＹＥＳになるときには、引数の内容を取得した分解ルールとする（処理４０７）。また、判断４０６の結果がＮＯになるとき、および、判断４０４の結果がＮＯになるときには、取得失敗（処理４０８）として、この処理を終了する。
【００６９】
図１２は、機能要素解析処理（処理１０７）の一例を示している。
【００７０】
まず、対象とする機能要素を判別し（処理５０１）、途中経過の画像が同一になる機能要素があるかどうかを調べる（判断５０１）。ない場合には、処理５０１へ戻り、次の機能要素を処理対象とする。
【００７１】
また、判断５０１の結果がＹＥＳになるときには、当該機能要素に省略マークを付す（処理５０４）。
【００７２】
図１３は、機能要素最適化スケジューリング処理（処理１０８）の一例を示している。
【００７３】
処理手段（例えば、システム制御部１が実行する処理プロセスの実行形態など）の仕様を確認し（処理６０１）、処理手段の現況を確認する（処理６０２）。ＭＦＰ機能の処理優先順を確認し（処理６０３）、省略マーク付き機能要素を判別する（処理６０４）。
【００７４】
該当するものがある場合（判断６０５の結果がＹＥＳ）、省略マーク付き機能要素を省略するか否かを決定する（処理６０６）。例えば、ユーザが機能分解について行わない旨を設定している場合には、判断６０７の結果がＮＯになる。
【００７５】
判断６０７の結果がＹＥＳになるときには、該当する機能要素の実行を省略する（処理６０８）。判断６０７の結果がＮＯになるとき、および、判断６０５の結果がＮＯになるときには、処理６０８を行わない。
【００７６】
次に、処理手段への機能要素の割付を確定し（処理６０９）、機能要素の実行順を確定する（処理６１０）。
【００７７】
なお、上述した実施例では、ユーザ別操作画面に２つの操作項目を表示する場合について説明したが、３つ以上の操作項目を表示する場合についても、本発明を同様にして適用することができる。
【図面の簡単な説明】
【００７８】
【図１】本発明の一実施例にかかるネットワークシステムを示したブロック図。
【図２】ネットワーク複合機ＦＸの構成例を示したブロック図。
【図３】操作表示部７の一例を示したブロック図。
【図４】ユーザ登録情報テーブルおよびユーザ登録情報の一例を示した概略図。
【図５】待機画面の一例を示した概略図。
【図６】ユーザ別操作画面の一例を示した概略図。
【図７】ＭＦＰ機能分解ルールテーブル、ＭＦＰ機能分解ルール、および、分解ルール問い合わせ先情報等の一例を示した概略図。
【図８】ネットワーク複合機ＦＸの処理の一例を示したフローチャート。
【図９】機能要素分解処理（処理１０７）の一例を示したフローチャート。
【図１０】処理２０６の一例を示したフローチャート。
【図１１】処理２０６の他の例を示したフローチャート。
【図１２】機能要素解析処理（処理１０７）の一例を示したフローチャート。
【図１３】機能要素最適化スケジューリング処理（処理１０８）の一例を示したフローチャート。
【符号の説明】
【００７９】
ＦＸ  ネットワーク複合機
ＳＭ  サーバ装置
１  システム制御部
２  システムメモリ
３  パラメータメモリ
８  画像処理部
９  磁気ディスク装置
【図１】
2006318155.tif 000003
【図２】
2006318155.tif 000004
【図３】
2006318155.tif 000005
【図４】
2006318155.tif 000006
【図５】
2006318155.tif 000007
【図６】
2006318155.tif 000008
【図７】
2006318155.tif 000009
【図８】
2006318155.tif 000010
【図９】
2006318155.tif 000011
【図１０】
2006318155.tif 000012
【図１１】
2006318155.tif 000013
【図１２】
2006318155.tif 000014
【図１３】
2006318155.tif 000015